(57)【要約】【課題】圃場内で工具や固定部材を持ち歩く必要がなく、かつ軽量で、さらに容易かつ迅速にローラコンベアと支持部との解体、組立及び位置調整が行えるローラコンベア支持台車を提供することを目的とする。【解決手段】本発明のローラコンベア支持台車は、圃場内で利用されるローラコンベアを支持する支持台車であって、ローラコンベアが載置される平面視略長方形の支持部と、この支持部の下部に連結される脚部とを備え、上記支持部が、載置されたローラコンベアをローラコンベアの短手方向から挟持する少なくとも一対の突設部を有し、ローラコンベアをローラコンベアの長手方向にスライド可能に載置できるように設けられ、上記脚部が、ローラコンベアの短手方向に走行する一対の車輪を有している。【選択図】図１
2020073405.tif 000002
【特許請求の範囲】
【請求項１】
圃場内で利用されるローラコンベアを支持する支持台車であって、
ローラコンベアが載置される平面視略長方形の支持部と、この支持部の下部に連結される脚部とを備え、
上記支持部が、載置されたローラコンベアをローラコンベアの短手方向から挟持する少なくとも一対の突設部を有し、ローラコンベアをローラコンベアの長手方向にスライド可能に載置できるように設けられ、
上記脚部が、ローラコンベアの短手方向に走行する一対の車輪を有しているローラコンベア支持台車。
【発明の詳細な説明】
【技術分野】
【０００１】
本発明は、ローラコンベア支持台車に関する。
【背景技術】
【０００２】
現在の日本における大規模な圃場では、野菜等の収穫物は圃場内で箱詰めされ、この収穫物が詰め込まれた箱（以下、荷物という）が、作業道に乗り入れた運送車両に向けて運ばれる。荷物は人力や運搬台車を利用して運ぶこともあるが、作業効率化のためローラコンベアを導入する場合がある。この場合、作業道は一般的には３０ｍピッチであるため最寄りの作業道まで１５ｍ程度の距離に渡ってローラコンベアを設置する必要がある。実用的なローラコンベアの長さは３メートル程度であることから、５台程度のローラコンベアが圃場内に並べられる。
【０００３】
例えばこのローラコンベアの設置に畝上面を利用すると、作業者は、中腰で作業することになり、作業者の腰への負担が大きい。このため、ローラコンベアにはその高さを一定に支持する脚部が必要である。この脚部は、未収穫の野菜を傷つけることを避けるため畝溝部に配置することが一般的である。畝溝部には凹凸があり、また畝溝部と作業道との距離も一定であるとは限らない。従って、脚部に対するローラコンベアの位置は、圃場の畝溝の状況に応じて主にローラコンベアの長手方向に沿って調整する必要がある。
【０００４】
このような要求を解決するため、ローラコンベアを支持する脚部の数が少なく圃場の畝部で利用し易く、かつ作業効率の良い圃場内利用ローラコンベア搬送装置が提案されている（特開２０１４−２２７２４１号公報参照）。
【０００５】
この従来のローラコンベア搬送装置は、ローラコンベアのフレームを下方から支持する支持部とこの支持部の下部に連結される脚部とを備える。また、上記従来のローラコンベア搬送装置は、脚部に対してローラコンベアの位置調整を行う位置調整手段を有している。具体的には、上記従来のローラコンベア搬送装置は、ローラコンベアのフレームと脚部を備える支持部とをＣ型クランプやボルト及びナットの固定部材を用いて締め付け固定している。そして、位置調整を行う際、作業者はこの固定部材の締め付けを緩めて位置調整を行い、調整後はローラコンベアを支持部に再度締め付け固定することができる。
【０００６】
上記従来のローラコンベア搬送装置では、作業者は固定部材の締め付けを調整するためのスパナ等の工具や、固定部材そのものを持ち歩く必要があり、これらを圃場内で紛失するおそれがある。また、これらの固定部材を有するため、従来のローラコンベア搬送装置は、全体重量が増し、取扱いが容易とは言えない。
【０００７】
さらに、同日に異なる圃場の収穫を行う場合は固定部材を取り外しローラコンベアと支持部とを別々に移動させ、組み立てた後に再度固定部材による位置調整を行う必要がある。このように従来のローラコンベア搬送装置ではローラコンベアと支持部との解体、組立及び位置調整の作業量が比較的多いため、上記解体、組立及び位置調整をさらに容易かつ迅速に行う構造が望まれている。
【先行技術文献】
【特許文献】
【０００８】
【特許文献１】特開２０１４−２２７２４１号公報
【発明の概要】
【発明が解決しようとする課題】
【０００９】
本発明は、上述のような事情に基づいてなされたものであり、圃場内で工具や固定部材を持ち歩く必要がなく、かつ軽量で、さらに容易かつ迅速にローラコンベアと支持部との解体、組立及び位置調整が行えるローラコンベア支持台車を提供することを目的とする。
【課題を解決するための手段】
【００１０】
発明者が鋭意検討したところ、従来、収穫作業によるローラコンベアの位置ずれを防ぐためには、ローラコンベアと支持台とが強固に固定されている必要があると考えられていたが、荷物の搬送方向であるローラコンベアの長手方向については固定しなくとも、位置ずれがほとんど発生しないことを見出した。つまり、ローラコンベアの短手方向の移動を抑止することでローラコンベアの位置ずれを防止できることが判明し、本発明を完成させた。
【００１１】
すなわち、上記課題を解決するためになされた本発明は、圃場内で利用されるローラコンベアを支持する支持台車であって、ローラコンベアを支持する平面視略長方形の支持部と、この支持部の下部に連結される脚部とを備え、上記支持部が、ローラコンベアを短手方向に挟持する少なくとも一対の突設部を有することを特徴とする。
【００１２】
当該ローラコンベア支持台車は、支持部がローラコンベアを短手方向に挟持する少なくとも一対の突設部を有するので、ローラコンベアを支持部に載せることで上記突設部によりローラコンベアの短手方向の位置ずれを効果的に防止できる。また、当該ローラコンベア支持台車はローラコンベアの長手方向の移動を抑止する必要がないので、ローラコンベアの長手方向の位置調整を容易かつ迅速に行うことができる。また、当該ローラコンベア支持台車はローラコンベアを固定する固定部材等を必要としない。このため、当該ローラコンベア支持台車は、固定部材等の紛失のおそれがなく、かつ固定部材等による重量増加がない。また、当該ローラコンベア支持台車は、ローラコンベアと支持部との解体及び組立を容易かつ迅速に行うことができる。ここで「長方形」は、正方形を含む概念である。
【００１３】
上記脚部が一対の車輪を有しているとよい。このように上記脚部が一対の車輪を有していることで、圃場内の移動が容易に行える。
【００１４】
上記一対の突設部の対向方向のみに移動可能となるように上記一対の車輪が配設されているとよい。作業道と畝の方向との関係にもよるが、圃場内で荷物が搬送される方向であるローラコンベアの長手方向が畝に対して直交する方向となるようにローラコンベアが設置される場合が多い。従って、上記一対の突設部の対向方向のみに移動可能となるように上記一対の車輪を配設することで、畝溝に沿って野菜等を順次収穫する際の移動が容易に行える。また、移動方向がローラコンベアの短手方向となるため、ローラコンベアを短手方向に挟持する少なくとも一対の突設部により、ローラコンベアの位置ずれがさらに発生し難くなる。
【００１５】
上記突設部が、ローラコンベアの側面に当接する側壁と、この側壁の下端から上記一対の突設部の対向方向に延びる底壁とを有することで、ローラコンベアが側壁に加えて底壁に当接して支持されるので、ローラコンベアの位置ずれをさらに抑止できる。
【発明の効果】
【００１６】
以上説明したように、本発明のローラコンベア支持台車は、圃場内で工具や固定部材を持ち歩く必要がなく、かつ軽量で、さらに容易かつ迅速にローラコンベアと支持部との解体、組立及び位置調整が行える。
【図面の簡単な説明】
【００１７】
【図１】本発明の一実施形態に係るローラコンベア支持台車を示す概略的正面図である。
【図２】図１のローラコンベア支持台車を示す概略的平面図である。
【図３】図１のローラコンベア支持台車を示す概略的側面図である。
【発明を実施するための形態】
【００１８】
以下、適宜図面を参照しつつ、本発明の実施の形態を説明する。
【００１９】
図１〜図３に示すローラコンベア支持台車は、圃場内で利用されるローラコンベアＸを支持する支持台車である。当該ローラコンベア支持台車は、ローラコンベアＸを支持する平面視略長方形の支持部１と、この支持部１の下部に連結される脚部２とを備え、上記支持部１がローラコンベアＸを短手方向に挟持する一対の突設部３を有する。
【００２０】
＜ローラコンベア＞
当該ローラコンベア支持台車が支持するローラコンベアＸについて説明する。ローラコンベアＸは、略平行に配設される一対のフレーム（以下、コンベアフレームという）と、コンベアフレーム間に架け渡される複数のローラとを有する。
【００２１】
（コンベアフレーム）
コンベアフレームは、ローラを架け渡すためのフレームであり、公知の物を用いることができる。コンベアフレームは、上壁、側壁、及び下壁の三面を有し、正面（ローラコンベアの搬送方向）から見て、ローラが架け渡される側とは逆方向に開いた略Ｕ字状である。コンベアフレームの材質としては、スチール、ステンレス、アルミニウム、樹脂等があるが、アルミニウムが好ましい。アルミニウム製のコンベアフレームは、軽量で持ち運びが容易であり、耐腐食性に優れることから、屋外で使用し移動を伴うローラコンベアに好適である。
【００２２】
コンベアフレームの幅としては、特に限定されないが、荷物の幅よりやや広いものが好ましく、例えば３６０ｍｍのものを用いることができる。コンベアフレームの長さとしては、利用する圃場の広さや形、作業道の間隔等に応じて選定する必要があるが、例えば３０００ｍｍのものが用いられる。コンベアフレームの高さとしては、フレーム強度と取扱いの容易性から選定されるが、例えば長さ３０００ｍｍ、幅３６０ｍｍのフレームであれば、６５ｍｍの高さのものが使える。
【００２３】
（ローラ）
複数のローラは、コンベアフレームに架け渡され、荷物を搬送する役割を担う。ローラの材質としては、コンベアフレームと同様のものが使われる。ローラの幅としては、コンベアフレームに合わせて決定される。また、ローラの径及び間隔としては、４本程度で荷物を支えることができ、ローラ１本の受ける荷重が許容荷重以下となるような径及び間隔がよいとされており、例えば径４５ｍｍ、ピッチ１００ｍｍ、ローラ長３００ｍｍとすることができる。
【００２４】
また、ローラコンベアＸは、他のローラコンベアＸと連結することができる。このローラコンベアＸの連結構成としては、特に限定されないが、例えばローラコンベアＸの長手方向（荷物の搬送方向）の一端側においてこの一対のフレームそれぞれに配設される一対の被係止バーＹ及び搬送方向の他端側にそれぞれに配設される一対のフックＺを有する構成を挙げることができる。この構成では、上記ローラコンベアＸは、図３に示すように一のローラコンベアＸのフックＺと他のローラコンベアＸの被係止バーＹとを係止することで、複数のローラコンベアＸを連結することができる。以下、この連結構成について説明する。
【００２５】
（被係止バー）
一対の被係止バーＹは、略円柱状で、一対のコンベアフレームのそれぞれについて、ローラとは反対側の面に各々固定されている。被係止バーＹの固定位置は、フックＺの係止部と係合った時に、隣り合う２基のコンベアフレームにおいて互いの近接位置にくるそれぞれのローラの接地面を基準とした高さが略同一となるよう決められている。被係止バーＹのコンベアフレームへの固定方法は、特に限定されないが、例えば溶接を用いることができる。被係止バーＹの材質としては、特に限定されないが、ステンレスやメッキされた鉄が使える。
【００２６】
被係止バーＹの円柱の径の下限としては、４ｍｍが好ましく、６ｍｍがより好ましい。一方、被係止バーＹの円柱の径の上限としては、１５ｍｍが好ましく、１０ｍｍがより好ましい。被係止バーＹの円柱の径が上記下限未満である場合、被係止バーＹの強度が不足し、被係止バーＹが変形してしまうおそれがある。逆に、被係止バーＹの円柱の径が上記上限を超える場合、フックＺの係止部の溝幅が大きくなり、フックＺの強度が不足するおそれがある。
【００２７】
被係止バーＹの円柱の高さの下限としては、１０ｍｍが好ましく、２０ｍｍがより好ましい。一方、被係止バーＹの円柱の高さの上限としては、４０ｍｍが好ましく、３０ｍｍがより好ましい。被係止バーＹの円柱の高さが上記下限未満である場合、フックＺとの係止が不十分となり、フックＺと被係止バーＹの係止が移動時の振動等で外れてしまうおそれがある。逆に、被係止バーＹの円柱の高さが上記上限を超える場合、コンベアフレームからの突出が大きくなり過ぎ、移設等の作業時に障害物となるおそれがある。
【００２８】
（フック）
フックＺは、平面視略長方形の板状で、その一部がコンベアフレームから突出して固定されている。フックＺの固定位置としては、特に限定されないが、例えばフックＺの下側が、コンベアフレームの側壁の下側と略一致する位置とすることができる。また、フックＺの固定方法は、特に限定されないが、例えばボルトで留める方法とできる。フックＺは、２カ所以上をボルトで留めることで、堅牢に固定されてもよい。フックＺの材質としては、特に限定されないが、被係止バーＹと同様のものが使える。
【００２９】
フックＺは、上記突出部分に溝状の係止部を有している。上記係止部は、コンベアフレームの被係止バーＹと係止できる。
【００３０】
フックＺの長さ（搬送方向の長さ）の下限としては、５０ｍｍが好ましく、７０ｍｍがより好ましい。一方、フックＺの長さの上限としては、１３０ｍｍが好ましく、９０ｍｍがより好ましい。フックＺの長さが上記下限未満である場合、コンベアフレームに固定する部分の長さが短くなり、十分に固定できないおそれがある。逆に、フックＺの長さ上記上限を超える場合、ローラコンベアＸの移設等の作業時に障害物となるおそれがある。
【００３１】
フックＺの突出部分（コンベアフレームの搬送方向の前縁から突出している部分の長さ）の下限としては、２０ｍｍが好ましく、３０ｍｍがより好ましい。一方、フックＺの突出部分の長さの上限としては、６０ｍｍが好ましく、４０ｍｍがより好ましい。フックＺの突出部分の長さが上記下限未満である場合、コンベアフレームに係止する部分の長さが短くなり、係止が難しくなるおそれがある。逆に、フックＺの突出部分の長さが上記上限を超える場合、ローラコンベアＸの移設等の作業時に障害物となるおそれがある。
【００３２】
フックＺの高さ（コンベアフレームの高さ方向の長さ）の下限としては、２０ｍｍが好ましく、３０ｍｍがより好ましい。一方、フックＺの高さの上限としては、６０ｍｍが好ましく、４０ｍｍがより好ましい。フックＺの高さが上記下限未満である場合、後述する係止部の長さが十分にとれず、移動時の振動等で係止が外れてしまうおそれがある。逆に、フックＺの高さが上記上限を超える場合、フックＺの上端がコンベアフレームの上端を超え、荷物の搬送時に衝突する等の障害物となるおそれがある。
【００３３】
フックＺの厚さ（コンベアフレームの幅方向の長さ）の下限としては、３ｍｍが好ましく、５ｍｍがより好ましい。一方、フックＺの厚さの上限としては、１０ｍｍが好ましく、７ｍｍがより好ましい。フックＺの厚さが上記下限未満である場合、強度が不足し、フックＺが変形してしまうおそれがある。逆に、フックＺの厚さが上記上限を超える場合、重量の増加等によりローラコンベアＸの取扱いが困難となるおそれがある。
【００３４】
フックＺの係止部は、溝状で、フックＺがコンベアフレームから突出している部分の下側略中央位置から上方に向かってフックＺの途中まで逆Ｕ字状に設けられている。上記係止部の溝幅は、上記被係止バーＹの径と略等しい。また上記係止部は、被係止バーＹと係合った状態で、連結したローラコンベアＸ同士の隣接するローラの間隔がローラコンベアＸのローラピッチと略等しくなる位置にあることが好ましい。
【００３５】
上記係止部の長さ（フックＺの下側を始点とした溝状部の長さ）とフックＺの高さとの差分の下限としては、５ｍｍが好ましく、１０ｍｍがより好ましい。一方、上記係止部の長さとフックＺの高さとの差分の上限としては、３０ｍｍが好ましく、２０ｍｍがより好ましい。上記差分が上記下限未満である場合、フックＺの強度が不足し、フックＺが変形してしまうおそれがある。逆に、上記差分が上記上限を超える場合、上記係止部の長さが十分にとれず、移動時の振動等で係止が外れてしまうおそれがある。
【００３６】
なお、上記フックＺと被係止バーＹとを用いた一のローラコンベアＸ及び他のローラコンベアＸの連結は、一のローラコンベア搬送装置のフックＺを有する側の端部を持ち上げ、フックＺの係止部の溝部が他のローラコンベアＸの被係止バーＹと係合うように上方から下ろすことで行える。
【００３７】
＜支持部＞
支持部１は、平行に配設される２本の縦梁１ａと、縦梁１ａの一端側及び他端側において縦梁１ａに略直交するように架け渡される２本の横梁１ｂとから構成される。つまり支持部１は平面視略長方形状である。ローラコンベアＸは、その搬送方向が縦梁１ａと平行な方向（以下、支持部の縦方向ともいう）と略一致するように支持部１に載せられる。
【００３８】
縦梁１ａは、例えばＬ字型アングルを用いて構成することができ、後述する突設部３は縦梁１ａで構成される。支持部１の材質としては、ローラコンベアＸのコンベアフレームと同様のものを用いることができる。また、縦梁１ａと横梁１ｂとの固定方法としては、特に限定されないが、例えば溶接を用いることができる。
【００３９】
支持部１は、ローラコンベアＸを短手方向に挟持する一対の突設部３を有する。また、突設部３は、ローラコンベアＸの側面に当接する側壁と、この側壁の下端から上記一対の突設部３の対向方向に延びる底壁とを有する。以下、突設部３をＬ字型アングルで構成した場合を例にとり説明するが、突設部３の構成はＬ字型アングルに限定されるものではなく、例えば２枚の板材を用いて上記側壁と底壁とを構成してもよい。
【００４０】
（突設部）
一対の突設部３は、Ｌ字型アングルで構成され、その長手方向が支持部１の縦方向と略一致する。また、上記Ｌ字型アングルのＡ面（一方の面）が接地面に対して略垂直であり、ローラコンベアＸの側面に当接する側壁を構成する。
【００４１】
突設部３の平均高さ（Ｌ字型アングルのＡ面の平均幅）の下限としては、使用するローラコンベアＸの高さの３０％が好ましく、５０％がより好ましい。例えば長さ３０００ｍｍ、幅３６０ｍｍのフレームであれば、ローラコンベアＸの高さは６５ｍｍ程度であるので、具体的には、突設部３の平均高さの下限としては、２０ｍｍが好ましく、２５ｍｍがより好ましい。一方、突設部３の平均高さの上限としては、使用するローラコンベアＸの高さから２ｍｍ以上小さい高さが好ましい。具体的には、突設部３の平均高さの上限としては、６３ｍｍが好ましく、６０ｍｍがより好ましい。突設部３の平均高さが上記下限未満である場合、突設部３がローラコンベアＸを短手方向に十分に挟持することができず、ローラコンベアＸの位置ずれの抑止効果が不足するおそれがある。逆に、突設部３の平均高さが上記上限を超える場合、ローラコンベアＸにより運搬される荷物が突設部３に接触し、作業効率が低下するおそれがある。
【００４２】
突設部３の平均長さ（Ｌ字型アングルの平均長さ）の下限としては、３００ｍｍが好ましく、３５０ｍｍがより好ましい。一方、突設部３の平均長さの上限として、５００ｍｍが好ましく、４５０ｍｍがより好ましい。突設部３の平均長さが上記下限未満である場合、突設部３がローラコンベアＸを短手方向に十分に挟持することができず、ローラコンベアＸの位置ずれの抑止効果が不足するおそれや後述する底壁の長さが短くなり過ぎるため使用時に当該ローラコンベア支持台車が転倒するおそれがある。逆に、突設部３の平均長さが上記上限を超える場合、突設部３が不要に大きくなり、当該ローラコンベア支持台車の全体重量が増すため、取扱いが困難となるおそれがある。
【００４３】
突設部３の平均厚さ（Ｌ字型アングルの平均厚さ）の下限としては、２ｍｍが好ましく、２．５ｍｍがより好ましい。一方、突設部３の平均厚さの上限としては、４ｍｍが好ましく、３．５ｍｍがより好ましい。突設部３の平均厚さが上記下限未満である場合、突設部３の強度が不足するため、ローラコンベアＸの位置ずれの抑止効果が不足するおそれがある。逆に、突設部３の平均厚さが上記上限を超える場合、突設部３が不要に重くなり、当該ローラコンベア支持台車の全体重量が増すため、取扱いが困難となるおそれがある。
【００４４】
一対の突設部３を構成するＬ字型アングルのＢ面（他方の面）は、Ｌ字型アングルのＡ面（側壁）の下端から一対の突設部３の対向方向に延びる底壁を構成する。突設部３はこの底壁によりローラコンベアＸを下方から支持することができ、ローラコンベアＸの位置ずれがさらに抑止される。
【００４５】
突設部３がローラコンベアＸを支持する部分（Ｌ字型アングルのＢ面）の平均幅としては、特に限定されないが、突設部３の平均高さと同様とできる。
【００４６】
（横梁）
支持部１の横梁１ｂの断面形状としては、特に限定されないが、Ｌ字状や方形状とできる。また、横梁１ｂの断面の大きさとしては、一対の縦梁１ａを平行に支持できる強度を有するとよく、Ｌ字状であれば、肉厚２．５ｍｍ以上３．５ｍｍ以下、Ａ面及びＢ面の幅が２５ｍｍ以上３５ｍｍ以下、方形状であれば、１辺の長さが２５ｍｍ以上３５ｍｍ以下とできる。
【００４７】
横梁１ｂの長さとしては、使用するローラコンベアＸの幅が収まる長さとする必要があり、例えば幅３６０ｍｍのコンベアフレームを使用している場合、３９０ｍｍの長さとできる。
【００４８】
＜脚部＞
脚部２は、支持部１を支持する横フレーム５と、横フレーム５の両端の下部に連結される一対の支柱６と、一対の支柱６の下部を連結する共に、その両端に車輪８を有する車輪用フレーム７とを有する。
【００４９】
（横フレーム）
横フレーム５は支持部１の一対の縦梁１ａと直交する。また、横フレーム５の中心は一対の横梁１ｂの中心を結ぶ直線上にあり、横フレーム５の長さは横梁１ｂの長さより大きい。横フレーム５が支持部１の縦梁１ａを支持する位置としては、縦梁１ａの長手方向の略中央がよい。このように横フレーム５が縦梁１ａの長手方向の略中央を支持することで、横フレーム５を挟んだ支持部１の縦方向の重量バランスがよくなるため、当該ローラコンベア支持台車の使用時の安定性が向上する。
【００５０】
横フレーム５の材質としては、ローラコンベアＸのコンベアフレームと同様のものを用いることができる。また、横フレーム５と縦梁１ａとの固定方法としては、特に限定されないが、例えば溶接を用いることができる。
【００５１】
横フレーム５の形状は、特に限定されないが、角棒状とできる。横フレーム５の断面の一辺の長さの下限としては、２０ｍｍが好ましく、２５ｍｍがより好ましい。一方、横フレーム５の断面の一辺の長さの上限としては、４０ｍｍが好ましく、３５ｍｍがより好ましい。横フレーム５の断面の一辺の長さが上記下限未満である場合、横フレーム５の強度が不足するおそれがある。逆に、横フレーム５の断面の一辺の長さが上記上限を超える場合、脚部２が不要に重くなり、当該ローラコンベア支持台車の全体重量が増し、取扱いが困難となるおそれがある。
【００５２】
横フレーム５の長さは、支持部１の一対の縦梁１ａ間の長さと一対の支柱６を取り付けるために必要な長さとを加算した長さよりも大きい。具体的には、横フレーム５の長さの下限としては、４５０ｍｍが好ましく、５００ｍｍがより好ましい。一方、横フレーム５の長さの上限としては、６００ｍｍが好ましく、５５０ｍｍがより好ましい。横フレーム５の長さが上記下限未満である場合、ローラコンベアＸにより運搬される荷物が支柱６に接触し、作業効率が低下するおそれがある。逆に、横フレーム５の長さが上記上限超える場合、当該ローラコンベア支持台車の横幅が大きくなり過ぎ、取扱いが困難となるおそれがある。
【００５３】
（支柱）
それぞれの支柱６は、横フレーム５の両端の下部に横フレーム５と直交するように連結される。支柱６の形状は特に限定されないが、例えば一対のＬ字型アングルで構成できる。具体的には、それぞれの支柱６は、一対のＬ字型アングルの一方の面が横フレーム５を支持部１の縦方向に挟持するように横フレーム５に固定されている。また、この２本のＬ字型アングルの他方の面は、支持部１の側に位置している。このＬ字型アングルの肉厚としては、４．５ｍｍ以上５．５ｍｍ以下、Ａ面及びＢ面の幅としては、２５ｍｍ以上３５ｍｍ以下とできる。支柱６の材質としては、ローラコンベアＸのコンベアフレームと同様のものを用いることができる。また、支柱６と横フレーム５との固定方法としては、特に限定されないが、例えばボルトによる締め付けを用いることができる。
【００５４】
上記支柱６の長さの下限としては、３００ｍｍが好ましく、４００ｍｍがより好ましい。一方、上記支柱６の長さの上限としては、９００ｍｍが好ましく、８００ｍｍがより好ましい。上記支柱６の長さが上記下限未満である場合、ローラコンベアＸの上面が低くなり過ぎ、畝面に接触するおそれがある。逆に、上記支柱６の長さが上記上限を超える場合、ローラコンベアＸの上面が高くなり過ぎ、荷物をローラに載せる作業の負担が大きくなるおそれがある。
【００５５】
（車輪用フレーム）
車輪用フレーム７は、一対の支柱６の下部を連結すると共に、両端に車輪８を有する。車輪用フレーム７の形状は、特に限定されないが、例えば中央部が角棒状で、両端が車輪８を挟持するために二股に分岐し、それぞれの分岐の先端部に車輪８の回転軸を有する形状とできる。車輪用フレーム７の支柱６に平行な断面は例えば方形状とでき、その一辺の長さは横フレーム５と同様とできる。
【００５６】
一対の車輪８の中心間距離は、車輪の直径や使用するローラコンベアＸの幅にも依存するが、例えば使用する車輪の直径２０インチ（約５００ｍｍ）、ローラコンベアＸの幅が３６０ｍｍである場合、９００ｍｍ以上１２００ｍｍ以下とできる。一対の車輪８の中心間距離が上記下限未満である場合、当該ローラコンベア支持台車が不安定となり、当該ローラコンベア支持台車の移動時等に横転するおそれがある。逆に、一対の車輪８の中心間距離が上記上限を超える場合、当該ローラコンベア支持台車の横幅が大きくなり過ぎ、取扱いが困難となるおそれがある。
【００５７】
（車輪）
一対の車輪８の回転軸は、上記支持部１の縦方向と略平行である。すなわち、上記一対の突設部３の対向方向のみに当該ローラコンベア支持台車が移動可能となるように上記一対の車輪８が配設されている。このように一対の車輪８を配設することで、畝溝に沿った移動が容易に行える。また、移動方向がローラコンベアＸの短手方向となるため、ローラコンベアＸを短手方向に挟持する一対の突設部３により、ローラコンベアＸの位置ずれがさらに発生し難くなる。
【００５８】
使用する車輪８としては、特に限定されないが、公知の車輪、例えば自転車等に用いられるスポークスホイールで外周をゴム等の軟質材で作られたタイヤとチューブとで覆ったものを用いることができる。車輪８の径としては、特に限定されないが、例えば自転車で一般的に用いられている２０インチ（約５００ｍｍ）のものが利用可能である。
【００５９】
＜ローラコンベア支持台車の使用方法＞
当該ローラコンベア支持台車は、図３に示すように複数の連結されたローラコンベアＸの下部を複数の当該ローラコンベア支持台車で支持する方法で使用する。当該ローラコンベア支持台車が１のローラコンベアＸを支持する場所や数は特に限定されないが、例えばそれぞれのローラコンベアＸの長手方向の一端側に１基ずつ当該ローラコンベア支持台車を配置し、それぞれのローラコンベアＸの下部を突設部３により支持するとよい。側壁及び底壁を有する突設部３は、ローラコンベアＸを下方から支持すると共に、短手方向に挟持する。このように当該ローラコンベア支持台車は、ローラコンベアＸを固定しないので、圃場の畝溝の位置に応じて主にローラコンベアＸの長手方向に沿って当該ローラコンベア支持台車の位置の調整が容易に行える。また、当該ローラコンベア支持台車は、ローラコンベアＸと支持部１との解体及び組立を容易かつ迅速に行うことができる。
【００６０】
また、当該ローラコンベア支持台車は、野菜等の収穫場所の移動に伴い車輪８により畝溝方向に走行する。この移動の際に畝溝の凹凸等により隣接するローラコンベアＸ間の上下方向の角度等が変化する場合がある。このように隣接するローラコンベアＸ間の角度等が変化した場合であっても、ローラコンベアＸが当該ローラコンベア支持台車に固定されていないので、隣接するローラコンベアＸ間の角度調整を容易に行うことができる。
【００６１】
＜利点＞
当該ローラコンベア支持台車は、支持部１がローラコンベアＸを短手方向に挟持する少なくとも一対の突設部３を有するので、ローラコンベアＸを支持部１に載せることで上記突設部３によりローラコンベアＸの短手方向の位置ずれを効果的に防止できる。また、当該ローラコンベア支持台車はローラコンベアＸの長手方向の移動を抑止する必要がないので、ローラコンベアＸの長手方向の位置調整を容易かつ迅速に行うことができる。また、当該ローラコンベア支持台車はローラコンベアＸを固定する固定部材等を必要としない。このため、当該ローラコンベア支持台車は、固定部材等の紛失のおそれがなく、かつ固定部材等による重量増加がない。また、当該ローラコンベア支持台車は、ローラコンベアＸと支持部１との解体及び組立を容易かつ迅速に行うことができる。
【００６２】
［その他の実施形態］
本発明は上記実施形態に限定されるものではない。
【００６３】
上記実施形態では、車輪の回転軸が支持部の縦方向と略平行とし、ローラコンベアの短手方向に移動する場合を説明したが、車輪の回転軸を支持部の横梁と平行な方向（以下、支持部の横方向ともいう）と略平行としてもよい。車輪が支持部の横方向を回転軸とする構成は、ローラコンベアを畝溝に平行に配設する場合に好適である。この場合、当該ローラコンベア支持台車は、その縦方向が圃場の畝溝と略平行となるように圃場に配設され、ローラコンベアの長手方向に移動する。
【００６４】
また、車輪の回転軸の方向を可変としてもよい。このように車輪の回転軸の方向を可変にすることで、圃場の畝溝に対して任意の方向に当該ローラコンベア支持台車を配設することができる。
【００６５】
上記実施形態では、当該ローラコンベア支持台車が車輪を有する場合を説明したが、当該ローラコンベア支持台車は車輪を有さなくともよい。車輪を有さない場合、当該ローラコンベア支持台車は脚部の支柱が直接地面と接することでローラコンベアを支持する。
【００６６】
また、上記実施形態では、突設部がローラコンベアを支持する底壁を有する場合を説明したが、突設部がこのような底壁を有さなくともよく、例えばローラコンベアを支持する板状の部材を一対の横梁に架け渡すように設けてもよい。
【００６７】
上記実施形態では、突設部が縦梁と一体構成されている場合を説明したが、突設部は縦梁と別々に構成してもよく、例えば縦梁の上面に突設部を固定する構成であってもよい。
【００６８】
また、突設部を縦梁と別構成とする場合、突設部は縦梁上面に固定せず、支持部の横方向に移動できるように構成することもできる。例えば、突設部をＬ字型アングルのＡ面及びＢ面で構成し、このＬ字型アングルを支持部の横方向に設けた横梁のスリットにボルトで固定する構成としてもよい。このように構成することで、ボルトの締め付け位置をスリットの範囲内で移動できるので、突出部がローラコンベアを挟持する幅を変えることができる。従って１の当該ローラコンベア支持台車で、突出部の挟持幅の可変範囲内の幅の種々のローラコンベアに対応できる。なお、可動する突設部は、一対の突設部の両方であってもよく、また一方のみであってもよい。
【００６９】
上記実施形態では、一対の突設部がＬ字型アングルのＡ面すなわち１枚の板状の面によりローラコンベアを挟持する場合を説明したが、突設部がローラコンベアを挟持する部分（挟持部分）の形状はこれに限定されない。例えば、上記挟持部分は複数の板状の部材や複数の円柱状の部材を用い、その側面がローラコンベアを挟持するように縦梁の長手方向に一列に配設することで構成してもよい。
【産業上の利用可能性】
【００７０】
以上のように、本発明のローラコンベア支持台車は、圃場内で工具や固定部材を持ち歩く必要がなく、かつ軽量で、さらに容易かつ迅速にローラコンベアと支持部との解体、組立及び位置調整が行える。
【符号の説明】
【００７１】
１  支持部
１ａ  縦梁
１ｂ  横梁
２  脚部
３  突設部
５  横フレーム
６  支柱
７  車輪用フレーム
８  車輪
Ｘ  ローラコンベア
Ｙ  被係止バー
Ｚ  フック
【図１】
2020073405.tif 000003
【図２】
2020073405.tif 000004
【図３】
2020073405.tif 000005